(57)【要約】【課題】告知放送端末装置に、外部映像機器を接続する機能を付加した装置を提供する。【解決手段】告知放送受信部１０１と、告知放送受信部１０１の出力信号１から映像信号Ｓ１を抽出する映像信号抽出部１０２と、告知放送受信部１０１の出力信号２から音声信号Ｓ２を抽出する音声信号抽出部１０５と、告知放送受信部１０１の出力信号３から制御信号Ｓ３を抽出する制御信号抽出部１０８と、制御信号Ｓ３の緊急度を判別する制御信号判別部１０９と、判別部１０９からの判別信号Ｓ６に基づき、映像情報受信装置の信号と告知放送センタからの信号とを切替える音声・映像切替部１２０と、判別部１０９からの制御信号Ｓ７に基づき映像情報受信装置を制御するための信号Ｓ２２を出力する制御信号出力部１１０とを備えたものである。【選択図】        図２
2004179715.tif 000002
【特許請求の範囲】
【請求項１】
映像情報受信装置を利用し、告知放送センタからの信号を受信する告知放送端末装置において、
前記告知放送センタからの信号を受信し、該信号を音声信号、制御信号に分離する告知放送信号分離部と、告知放送対象の情報に応じて前記制御信号の緊急告知度を判別し、前記映像情報受信装置の音声信号と当該告知放送センタからの音声信号とを切替える制御信号を出力する制御信号出力部とを、備えたことを特徴とする告知放送端末装置。
【請求項２】
請求項１に記載の告知放送端末装置において、
告知放送センタからの音声信号を受信する音声告知放送受信部と、該告知放送受信部の出力信号から音声信号を抽出する音声信号抽出部と、前記告知放送受信部の出力信号から制御信号を抽出する制御信号抽出部と、告知放送対象の情報に応じて前記抽出された制御信号の緊急告知度を判別する制御信号判別部と、該判別部からの制御信号によって音声信号を入力させる映像情報受信装置を制御するための制御信号を出力する制御信号出力部とを、備えたことを特徴とする告知放送端末装置。
【請求項３】
映像情報受信装置を利用し、告知放送センタからの信号を受信する告知放送端末装置において、
前記告知放送センタからの信号を受信し、該信号を映像信号、音声信号、制御信号に分離する告知放送信号分離部と、告知放送対象の情報に応じて前記制御信号の緊急告知度を判別し判別信号を出力するとともに、該判別信号を受信し前記映像情報受信装置を制御するための制御信号を出力する制御信号出力部と、該制御信号出力部からの判別信号に基づき、前記映像情報受信装置の映像信号、音声信号と当該告知放送センタからの映像信号、音声信号とを切替える音声・映像切替部とを、備えたことを特徴とする告知放送端末装置。
【請求項４】
請求項３に記載の告知放送端末装置において、
告知放送センタからの信号を受信する告知放送受信部と、該告知放送受信部からの出力信号から映像信号を抽出する映像信号抽出部と、前記告知放送受信部からの出力信号から音声信号を抽出する音声信号抽出部と、前記告知放送受信部からの出力信号から制御信号を抽出する制御信号抽出部と、告知放送対象の情報に応じて前記抽出された制御信号の緊急告知度を判別する制御信号判別部と、該制御信号判別部からの判別信号に基づき、前記映像情報受信装置の映像信号、音声信号と当該告知放送センタからの映像信号、音声信号とを切替える音声・映像切替部と、前記判別部からの判別信号によって映像信号、音声信号を入力させる映像情報受信装置を制御するための制御信号を出力する制御信号出力部とを、備えたことを特徴とする告知放送端末装置。
【発明の詳細な説明】
【０００１】
【発明の属する技術分野】
本発明は、告知放送端末装置に係り、例えば、ＣＡＴＶシステムに用いて好適な告知放送端末装置に関するものである。
【０００２】
【従来の技術】
従来、例えば、ＣＡＴＶの加入者宅に設置され、ＣＡＴＶセンタからの生活情報等を知らせる一般告知放送や災害時の緊急放送を受信する告知放送端末装置が実用化されていた。図５を参照して、従来の告知放送端末装置の一例を説明する。図５は従来の告知放送端末装置を含む加入者宅内に設置される機器のブロック図である。図５において、５０はＣＡＴＶセンタからの信号を、Ｓ．Ｔ．Ｂ．（セツト  トップ  ボックス）２００と告知放送端末装置１５０側とに分岐する分配器、２００はＳ．Ｔ．Ｂ．、３００はテレビ、１５０は告知放送端末装置である。
【０００３】
図示する如く、ＣＡＴＶセンタから周波数変調された映像信号及び音声信号並びに特定の周波数を割り当てている告知放送の音声信号の合成信号が伝送されてくる。この伝送されてくる合成信号が加入者宅に設置されている分配器５０に入力する。前記分配器５０は合成信号をＣＡＴＶシステムの一部であるＳ．Ｔ．Ｂ．２００及びテレビ３００側と、告知放送端末装置１５０側に分岐させて分配する。
【０００４】
分岐・分配された告知放送端末装置１５０に入力された入力信号は、フィルタリングが施され告知放送の音声信号を抽出し、これを増幅し、前記告知放送端末装置１５０のスピーカーにより放送されていた。
【０００５】
なお、出願人が知っている先行技術が文献公知発明に係るものでないため、記載すべき先行技術情報がない。
【０００６】
【発明が解決しようとする課題】
近年、生活情報を知らせる一般告知放送や災害時の緊急放送を受信する告知放送がますます重要視されてきた。このため、告知放送センタが設けられ、該告知放送センタからの告知信号が伝送され告知放送端末装置で放送されていた。しかし、一般に告知放送端末装置のスピーカーは小容量であり且つ性能が高レベルでないため、告知放送の音量が不足しており、且つ音質も必ずしもよいとはいえないという問題があった。
【０００７】
本発明は、かかる従来技術の問題点を解決するためになされたものであり、本発明は、告知放送端末装置の小容量且つ低音質のスピーカーから放送する代わりに、加入者宅内に設置されている映像情報受信装置、例えば一般テレビの大容量且つ高音質のスピーカーを利用できるような構成を付加し、その機能を充実させた告知放送端末装置を提供することを第一の目的とする。
また、告知放送端末装置の小容量且つ低音質のスピーカーから放送する代わりに、加入者宅内に設置されている映像情報受信装置（告知放送端末装置に接続される端末機器をいう）、例えば一般テレビの大容量且つ高品質のスピーカーを利用できるようにした構成とともに、映像系の構成を加え、一層機能を充実させた告知放送端末装置を提供することをその第二の目的とする。
【０００８】
【課題を解決するための手段】
上記第一の目的を達成するため、本発明に係わる告知端末装置の構成は、映像情報受信装置を利用し、告知放送センタからの音声信号を受信する告知放送端末装置において、
前記告知放送センタからの音声信号を受信する音声告知放送受信部と、該告知放送受信部の出力信号から音声信号を抽出する音声信号抽出部と、前記告知放送受信部の出力信号から制御信号を抽出する制御信号抽出部と、告知放送対象の情報に応じて前記抽出された制御信号の緊急告知度を判別する制御信号判別部と、該判別部からの制御信号によって音声信号を入力させる映像情報受信装置を制御するための制御信号を出力する制御信号出力部とを、備えたことを特徴とするものである。
【０００９】
上記第二の目的を達成するため、本発明に係わる告知端末装置の他の構成は、映像情報受信装置を利用し、告知放送センタからの信号を受信する告知放送端末装置において、前記告知放送センタからの信号を受信する告知放送受信部と、該告知放送受信部からの出力信号から映像信号を抽出する映像信号抽出部と、前記告知放送受信部からの出力信号から音声信号を抽出する音声信号抽出部と、前記告知放送受信部からの出力信号から制御信号を抽出する制御信号抽出部と、告知放送対象の情報に応じて前記抽出された制御信号の緊急告知度を判別する制御信号判別部と、該判別部からの制御信号に基づき、映像情報受信装置からの信号と当該告知放送センタからの信号とを切替える音声・映像切替部と、前記判別部からの制御信号によって映像および音声信号を入力させる映像情報受信装置を制御するための制御信号を出力する制御信号出力部とを、備えたことを特徴とするものである。
【００１０】
【発明の実施の形態】
以下、本発明に係わる告知放送端末装置の各実施形態について、図１乃至図４を参照して説明する。図１は、本発明に係わる告知放送端末装置における一実施形態のブロック図、図２は、図１に係わる告知放送端末装置の機能説明のためのブロック図、図３は、本発明に係わる告知放送端末装置における他の一実施形態のブロック図、図４は、図３に係わる告知放送端末装置の機能説明のためのブロック図である。
【００１１】
［実施の形態  １］
本発明に係わる告知放送端末装置の一実施形態について、図１を参照して説明する。
図１において、告知放送センタには、告知すべき内容を映像信号と音声信号とに変調し、さらに、前記変調出力と、告知放送対象に応じて告知放送の開始、終了等の情報を示す制御信号とを混合し、この混合出力をテレビ信号として形成し、予め告知メッセージとして登録する。この登録告知メッセージを適宜な手段、例えば前記告知放送センタのオペレータの出力指示信号により告知放送端末装置１００の告知放送受信部１０１（後述）に出力するように構成されている。なお、前記制御信号は、映像出力と音声出力との変調信号において、例えば垂直同期信号中に混合して合成映像出力として前記告知放送受信部１０１に出力する。
【００１２】
告知放送センタと接続される告知放送端末装置１００は、告知放送受信部１０１、映像信号抽出部１０２、映像増幅部１０３、映像外部出力端子１０４、音声信号抽出部１０５、音声増幅部１０６、音声外部出力端子１０７、制御信号抽出部１０８、制御信号判別部１０９、制御信号出力部１１０、音声・映像切替部１２０を有している。
【００１３】
告知放送受信部１０１は告知放送センタからのテレビ信号、すなわち合成映像出力（映像出力、音声出力、制御信号を合成したもの）を入力し、該合成映像出力を映像信号抽出部１０２への分岐信号１、音声信号抽出部１０５への分岐信号２、制御信号抽出部１０８への分岐出力３とに復調して出力するように構成されている。
【００１４】
映像信号抽出部１０２は、告知放送受信部１０１と接続され、それからの分岐信号１を受信し、例えばダイオード検波することにより映像信号Ｓ１を抽出することができる検波部である。同様にして音声信号抽出部１０５は、告知放送受信部１０１と接続され、それからの分岐信号２を受信し、例えばＦＭ検波することにより音声信号Ｓ２を抽出できるようになっている検波部である。
【００１５】
制御信号抽出部１０８は、告知放送受信部１０１と接続され、それからの分岐信号３を受信し、例えばダイオード検波することにより、告知メッセージの内容に応ずる制御信号Ｓ３を抽出する検波部であり、また、告知メッセージの終了信号に応ずる制御信号Ｓ３’を抽出する検波部である。
映像増幅部１０３は、映像信号抽出部１０２と接続され、該映像信号抽出部１０２からの映像信号Ｓ１を所定の大きさの映像信号Ｓ４に増幅する増幅部である。音声増幅部１０６は、音声信号抽出部１０２において、例えばＦＭ検波により抽出された音声信号Ｓ２を所定の大きさの音声信号Ｓ５に増幅する増幅部である。
【００１６】
制御信号判別部１０９は、告知放送対象情報を予め記憶しておき、制御信号抽出部１０８からの制御信号Ｓ３を入力し、前記告知放送対象情報に基づき、告知放送の要否を判別する。この判別に従い、制御信号（以下、判別信号という）Ｓ６を音声・映像切替部１２０へ出力する。ここに、前記告知放送対象情報とは、地域、顧客業務、顧客の環境等に関する情報をいう。また、同時に判別信号Ｓ７を制御信号出力部１１０へ出力するようになっている。さらに、告知メッセージの終了信号に応ずる制御信号Ｓ３’に応ずる制御信号Ｓ６’を出力するようになっている。
【００１７】
音声・映像切替部１２０は、リレー、半導体スイッチ等で構成され、公知のマルチスイッチ回路で容易に具現化したものであるので、詳細な説明を省略する。
前記音声・映像切替部１２０は、映像情報受信装置、実際にはＣＡＴＶシステムのＳ．Ｔ．Ｂ．２００（後述）と接続されると共に、告知放送端末装置１００の映像増幅部１０３及び音声増幅部１０６とそれぞれに接続されている。そして、前記Ｓ．Ｔ．Ｂ．２００から入力する映像信号Ｓ８及び音声信号Ｓ９を、判別信号Ｓ６に基づき映像増幅部１０３及び音声増幅部１０６それぞれからの映像信号Ｓ４及び音声信号Ｓ５に切替えるものである。また、告知メッセージの伝送が終了した場合、その終了に応ずる制御信号Ｓ６’によりＳ．Ｔ．Ｂ．２００からの映像信号Ｓ８及び音声信号Ｓ９が入力するように切替えるものである。
【００１８】
映像外部出力端子１０４は、音声・映像切替部１２０と接続され、その映像出力が告知放送端末装置１００の外部、実際にはテレビ３００に出力する映像信号Ｓ２０を出力する出力端子である。また、音声外部出力端子１０７は、音声・映像切替部１２０と接続され、その音声信号Ｓ２１が告知放送端末装置１００の外部、実際にはテレビ３００に出力する出力端子である。
【００１９】
制御信号出力部１１０は、制御信号判別部１０９と接続され、その判別信号Ｓ７に基づいて、告知放送端末装置１００の映像情報受信装置に対して赤外線通信等の制御信号Ｓ２２を出力する出力部である。
【００２０】
次に、図２を参照して、告知端末放送装置１００の動作について説明する。
本実施形態においては、映像情報受信装置としては、ＣＡＴＶのＳ．Ｔ．Ｂ．２００及びテレビ３００が利用するものとする。ここで、簡単に、Ｓ．Ｔ．Ｂ．２００及びテレビ３００を説明する。
【００２１】
Ｓ．Ｔ．Ｂ．２００は、チューナー部２０１と、該チューナー部２０１からの映像信号Ｓ８、音声信号Ｓ９を告知放送端末装置１００の音声・映像切替部１２０に出力する映像外部出力端子２０１及び音声外部出力端子２０３とを有する構成となっている。ＣＡＴＶからの信号を映像信号８及び音声信号９に分離する機能を有する。
【００２２】
テレビ部３００は、通常の商用テレビであり、チューナー部３０１と、マルチチャンネルの映像音声入力切替部３１０と、映像外部入力端子３０２と、音声外部入力端子３０３と、制御信号受信部３１１と、映像信号を表示する画面３２０と、音声信号を発声する大容量且つ高音質のスピーカー３２１とを有する構成となっている。
前記構成により、通常のテレビ放送およびＣＡＴＶ放送を受信することができる機能を有している。
【００２３】
次に、図２を参照して、告知放送端末装置１００の動作を説明する。
まず、ＣＡＴＶの映像、音声信号が告知放送端末装置１００の音声・映像切替部１２０で伝送されテレビ３００で放映される動作を説明する。
図示しない操作器により、Ｓ．Ｔ．Ｂ．２００の電源オン及び告知放送端末装置１００の電源オン並びテレビ３００の電源オンとする。なお、告知メッセージの予告信号により告知放送端末装置１００の電源オンとなるようにしても差支えない。
【００２４】
チューナー部２０１が選択した所望のチャンネルが受信できるように前記テレビ３００の映像音声入力切替部３１０も連動して切替る。ＣＡＴＶからの選択されたテレビ信号をＳ．Ｔ．Ｂ．２００内のチューナー部２０１で増幅し、映像信号Ｓ８と音声信号Ｓ９に分離し、それぞれ映像外部出力端子２０２及び音声外部出力端子２０３から告知放送端末装置１００の音声・映像切替部１２０に伝送される。
【００２５】
音声・映像切替部１２０は、初めに、Ｓ．Ｔ．Ｂ．２００の映像信号Ｓ８、音声信号Ｓ９が告知放送端末装置１００の映像外部出力端子１０４及び音声外部出力端子１０５へと伝送するように調整されている。該映像外部出力端子１０４及び音声外部出力端子１０７からテレビ３００の映像外部入力端子３０２及び音声外部入力端子３０３に映像信号Ｓ２０、音声信号Ｓ２１として入力する。
【００２６】
映像信号Ｓ２０、音声信号Ｓ２１は、映像外部入力端子３０２及び音声外部入力端子３０３を経て映像入力切替部３１０を伝送され、映像信号Ｓ３２、音声信号Ｓ３３として出力させ、画面３２０で放映し、大容量且つ高音質のスピーカー３２１で放送される。
【００２７】
本発明の要旨であるＣＡＴＶのテレビ信号から告知放送センタの告知メッセージのテレビ信号に告知放送端末装置１００の音声・映像切替部１２０による切替動作を説明する。
告知メッセージは、告知放送センタに予め登録されており、適宜な手段、例えば前記告知放送センタのオペレータの出力指示信号により告知放送受信部１０１に出力される。また、登録告知メッセージではなく、新たな告知メッセージを送ることもできる。
【００２８】
告知放送受信部１０１は、告知放送センタからのテレビ信号を入力し、これを復調・分岐し、映像信号抽出部１０２への分岐信号１、音声信号抽出部１０５への分岐信号２、制御信号抽出部１０８への分岐出力３を出力する。
映像信号抽出部１０２は、前記分岐信号１から映像信号Ｓ１を検波・抽出し映像増幅部１０３へ送る。音声信号抽出部１０５は、前記分岐信号２から音声信号Ｓ２を検波・抽出し音声増幅部１０６へ送る。前記映像増幅部１０３、音声増幅部１０６は映像信号Ｓ１、音声信号Ｓ２を所定の大きさ（画面３２０及びスピーカー３２１で明確な映像・音声となる大きさ）の映像信号Ｓ４、音声信号Ｓ５となるように、増幅して音声・映像切替部１２０に出力する。
【００２９】
制御信号抽出部１０８は、前記分岐信号３から制御信号Ｓ３、Ｓ３’を検波・抽出し、制御信号判別部１０９へ送る。制御信号判別部１０９は、制御信号Ｓ３を予め記憶させてある告知放送対象の情報と比較して必要度、緊急性等を判断し、告知放送要と判断した場合は音声・映像切替部１２０に判別信号Ｓ６を送信する。同時に、制御信号出力部１１０へ判別信号Ｓ７を送信する。
【００３０】
音声・映像切替部１２０は、制御信号判別部１０９からの判別信号Ｓ６を受信し、Ｓ．Ｔ．Ｂ．２００からの映像信号Ｓ８、音声信号Ｓ９を遮断し、告知放送センタから映像信号抽出部１０２、映像増幅部１０３及び音声信号抽出部１０５、音声増幅部１０６を経た映像信号Ｓ４、音声信号Ｓ５がそれぞれ外部出力端子１０４、音声外部出力端子１０７へ伝送されるように切替る。該映像外部出力端子１０４及び音声外部出力端子１０７は映像信号Ｓ４、音声信号Ｓ５を、それぞれ映像信号Ｓ２０、音声信号Ｓ２１として映像情報受信装置、テレビ３００に対して出力し、テレビ３００の映像外部入力端子３０２、音声外部入力端子３０３に入力する。
【００３１】
一方、制御信号出力部１１０は、判別信号Ｓ７が入力すると、これに応ずる赤外線通信等の制御出力Ｓ２２がテレビ３００の制御信号受信部３１１に入力する。該制御信号受信部３１１は制御出力Ｓ２２が入力すると、制御信号Ｓ３４が出力し、映像音声入力切替部３１０が、登録告知メッセージに対応する所望のチャンネルに切替える。それ以後については、段落［００２５］と同様にして、画面３２０及び大容量且つ高音質のスピーカー３２１で前記映像信号Ｓ３２、音声信号Ｓ３３がそれぞれ放映、放送される。
【００３２】
また、前記分岐信号３の告知メッセージの終了信号から制御信号Ｓ３’が検波・抽出され、該制御信号Ｓ３’に基づく判別信号Ｓ６’により、音声・映像切替部１２０がＳ．Ｔ．Ｂ．２００側の映像信号Ｓ８、音声信号Ｓ９を入力するように切替わる。また、前記制御信号Ｓ３’に基づく判別信号Ｓ７により制御信号出力部から赤外線通信等Ｓ２２により制御信号受信部３１１を経てＳ３４により映像音声入力切替部３１０がＣＡＴＶのテレビ信号を受信できるように切替る。このようにして、次の告知メッセージの伝送があるまで、映像信号Ｓ８、音声信号Ｓ９が画面３２０、スピーカー３２１で放映、放送される。
【００３３】
また、告知放送時に画面３２０及びスピーカー３２１を調整したいときは、制御信号出力部１１０からの赤外線通信等で、画面３２０及びスピーカー３２１の調整用のボリュームを調整することができる。
【００３４】
本実施形態に係る告知放送端末装置は、音声・映像切替部の映像・音声信号を切替える動作により、告知放送端末装置の従来に動作させていた小容量且つ低音質のスピーカーを用いて放送していたものを、映像情報受信装置、例えば一般の家庭テレビと接続し、大容量且つ高音質のスピーカーを用いて放送し、さらに、映像系も加え、告知放送端末装置の機能を一段と向上させることができる。
【００３５】
［実施の形態  ２］
本発明に係わる告知放送端末装置の他の一実施形態について、図３及び図４を参照して説明する。
図３において、告知放送端末装置４００は、音声告知放送受信部４０１と、音声信号抽出部４０２と、音声増幅部４０３と、音声外部出力端子４０４と、制御信号抽出部４０５と、制御信号抽出部４０５と、制御信号判別部４０６と、制御信号出力部４０７と、を有している。
【００３６】
音声告知放送受信部４０１は、図示しない告知放送センタからの音声信号に、フィルタリングを施し、分岐信号２、分岐信号３を復調・出力するように構成されている。音声信号抽出部４０２は、前記音声告知放送受信部４０１からの分岐信号２に検波を施して音声増幅部４０３に音声信号Ｓ１１を出力する検波部である。前記音声増幅部４０３は、前記音声信号Ｓ１１を増幅し、音声外部出力端子４０４に音声信号Ｓ１２を出力する増幅部である。前記音声外部出力端子４０４は、前記増幅された音声信号Ｓ１２を映像情報受信装置、実際にはテレビ５００に音声信号Ｓ２３として出力する端子である。
【００３７】
一方、制御信号抽出部４０５は、音声告知放送受信部４０１からの分岐出力３から制御信号Ｓ１３を抽出する検波部である。
制御信号判別部４０６は、制御信号抽出部４０５からの制御信号Ｓ１３を入力し、すなわち告知放送対象の情報に基づき、告知放送の内容を判別し、告知放送の要否を判別し、判別信号Ｓ１４を制御信号出力部４０７へ出力する出力部である。
【００３８】
制御信号出力部４０７は、制御信号判別部４０６と接続され、その判別信号Ｓ１４に基づいて、告知放送端末装置４００の映像情報受信装置、実際にはテレビ５００に対して赤外線通信等の制御信号Ｓ２４を出力する出力部である。
【００３９】
次に、図４を参照して、告知端末放送装置４００の動作について説明する。
本実施形態は、映像情報受信装置として、テレビ部５００の音声系を利用する。テレビ部５００は、図２のテレビ３００と、映像系が図示されていないが、同様の構成、機能であるので説明を省略する。
告知放送端末装置４００及びテレビ５００の電源を図示しない操作器を操作してオンにする。また、告知メッセージの予告信号により告知放送端末装置４００の電源オンとなるようにしても差支えない。
【００４０】
告知放送センタには、告知メッセージが予め登録されており、この登録告知メッセージを適宜な手段の出力指令により告知放送受信部４０１に出力される。
告知メッセージは音声信号と制御信号を混合・変調した信号である。告知放送受信部４０１は告知放送センタからの変調信号を入力し、これを復調・分岐し、音声信号抽出部４０２への分岐信号２、制御信号抽出部４０５への分岐出力３を出力する。音声信号抽出部４０２は、前記分岐信号２から音声信号Ｓ１１を検波・抽出し音声増幅部４０３へ送る。該音声増幅部４０３は音声信号Ｓ１１を増幅し、音声信号Ｓ１２を音声外部出力端子４０４に出力する。該音声外部出力端子４０４は、入力した音声信号Ｓ１２を、映像情報受信装置、実際にはテレビ５００に音声信号Ｓ２３として出力する。
【００４１】
制御信号抽出部４０５は、分岐信号３から制御信号Ｓ１３を検波・抽出し、制御信号判別部４０６へ送る。制御信号判別部４０６は、告知放送対象情報に基づき告知放送の要否を判別し、該判別に応じて判別信号Ｓ１４を制御信号出力部４０７に送信する。該制御信号出力部４０７は、前記判別信号Ｓ１４を入力し、赤外線通信等の制御信号Ｓ２４をテレビ５００の制御信号受信部５１１に出力する。
【００４２】
テレビ５００においては、制御信号出力部４０７からの赤外線通信等の制御出力Ｓ２４が制御信号受信部５１１に入力し、制御信号Ｓ２４に応じて制御信号Ｓ５９が出力し、映像音声入力切替部５１０は音声信号Ｓ２３が音声外部入力端子５０２を経て音声信号５４として入力するように所定のチャンネルに切替える。
【００４３】
映像音声入力切替部５１０に音声信号Ｓ５４が入力すると、音声信号がスピーカー５２１に入力し、音声放送するのは、段落［００２５］の映像の場合と同様であるので再度の説明を省略する。
また、告知放送時に、スピーカー５２１の音量を調整したいときは、制御信号出力部４０７からの赤外線通信等の制御信号Ｓ２４で前記スピーカー５２１のボリュームを調整して行うことができる。
【００４４】
本実施形態に係る告知放送端末装置は、音声・映像切替部の映像・音声信号を切替える動作により、告知放送端末装置の従来動作させていた小容量且つ低音質のスピーカーを用いて放送していたものを、映像情報受信装置、例えば一般家庭テレビの大容量且つ高音質のスピーカーを用いて放送し、告知放送端末装置の機能を向上させることができる。
【００４５】
【発明の効果】
以上、詳細に説明した如く、本発明に係る告知端末装置の構成によれば、第一に、告知放送端末装置の従来の小容量且つ低音質のスピーカーから放送する代わりに、加入者宅内に設置されている映像情報受信装置、例えば一般テレビの大容量且つ高音質のスピーカーを利用する構成を付加し、その機能を充実させた告知放送端末装置を提供することができる。
第二に、告知放送端末装置の従来の小容量且つ低音質のスピーカーから放送する代わりに、加入者宅内に設置されている映像情報受信装置、例えば一般テレビの大容量且つ高音質のスピーカーを利用するとともに、新たに、映像伝送系の構成を加え、一層機能を充実させた告知放送端末装置を提供することができる。
【図面の簡単な説明】
【図１】本発明に係わる告知放送端末装置における一実施形態のブロック図である。
【図２】図１に係わる告知放送端末装置の機能説明のためのブロック図である。
【図３】本発明に係わる告知放送端末装置における他の一実施形態のブロック図である。
【図４】図３に係わる告知放送端末装置の機能説明のためのブロック図である。
【図５】従来の告知放送端末装置を含む加入者宅に設置される機器のブロック図である。
【符号の説明】
１００、４００  告知放送端末装置
１０１、４０１  告知放送受信部
１０２  映像信号抽出部
１０５、４０２  音声信号抽出部
１０８、４０５  制御信号抽出部
１０９、４０６  制御信号判別部
１２０  音声・映像切替部
１１０、４０７  制御信号出力部
１、２、３  告知放送受信部の出力信号
Ｓ１、Ｓ４、Ｓ８、Ｓ２０  映像信号
Ｓ２、Ｓ５、Ｓ９、Ｓ１２、Ｓ２０、Ｓ２３  音声信号
Ｓ３、Ｓ３’、Ｓ１３、Ｓ２２、Ｓ２４  制御信号
Ｓ６、Ｓ６’、Ｓ７、Ｓ１４  判別信号
【図１】
2004179715.tif 000003
【図２】
2004179715.tif 000004
【図３】
2004179715.tif 000005
【図４】
2004179715.tif 000006
【図５】
2004179715.tif 000007